(57)【要約】【課題】低精細なコンテンツに対する編集結果を高精細なコンテンツに反映させるだけでなく、高精細なコンテンツに対する編集結果を低精細なコンテンツに反映させる編集システムおよび編集方法を提供する。【解決手段】編集反映装置１３は、ＳＤ用ノンリニア編集機１２がＳＤ用ストレージ２内のコンテンツを編集した際に、ＳＤ用ノンリニア編集機１２による編集結果に基づいて、ＨＤ用ストレージ１内のコンテンツを編集する。また、編集反映装置１３は、ＨＤ用ノンリニア編集機１１がＨＤ用ストレージ１内のコンテンツを編集した際に、ＨＤ用ノンリニア編集機１１による編集結果に基づいて、ＳＤ用ストレージ２内のコンテンツを編集する。【選択図】図１
2008113216.tif 000002
【特許請求の範囲】
【請求項１】
コンテンツを編集する編集システムであって、
前記コンテンツを第１精細度で保持する第１格納装置と、
前記コンテンツを前記第１精細度より粗い第２精細度で保持する第２格納装置と、
前記第１格納装置に保持された第１精細度のコンテンツを編集する第１編集装置と、
前記第２格納装置に保持された第２精細度のコンテンツを編集する第２編集装置と、
前記第２編集装置が前記第２精細度のコンテンツを編集した際に、前記第２編集装置による編集結果に基づいて前記第１精細度のコンテンツを編集し、前記第１編集装置が前記第１精細度のコンテンツを編集した際に、前記第１編集装置による編集結果に基づいて前記第２精細度のコンテンツを編集する編集反映装置と、を含む編集システム。
【請求項２】
請求項１に記載の編集システムにおいて、
前記編集反映装置は、
前記第１精細度のコンテンツを編集するための第３編集装置と、
前記第２精細度のコンテンツを編集するための第４編集装置と、
前記第２編集装置が前記第２精細度のコンテンツを編集した際に、前記第３編集装置を用いて、前記第１精細度のコンテンツを前記第２編集装置による編集結果に基づいて編集し、前記第１編集装置が前記第１精細度のコンテンツを編集した際に、前記第４編集装置を用いて、前記第２精細度のコンテンツを前記第１編集装置による編集結果に基づいて編集する編集管理装置と、を含む、編集システム。
【請求項３】
請求項１または２に記載の編集システムにおいて、
前記編集反映装置は、前記第１編集装置が前記第１精細度のコンテンツを編集してコンテンツを作成している間、前記第２編集装置が、前記第１編集装置が作成中のコンテンツと同じ名称のコンテンツを作成することを禁止し、また、前記第２編集装置が前記第２精細度のコンテンツを編集してコンテンツを作成している間、前記第１編集装置が、前記第２編集装置が作成中のコンテンツと同じ名称のコンテンツを作成することを禁止する、編集システム。
【請求項４】
請求項１ないし３のいずれか１項に記載の編集システムにおいて、
前記編集反映装置は、前記第１編集装置または前記第２編集装置が映像効果を伴う編集を行った場合に、前記映像効果に基づいて前記第１精細度のコンテンツから前記第１精細度の第１映像効果コンテンツを生成し、該第１映像効果コンテンツを前記第１格納装置に収録するとともに、前記映像効果に基づいて前記第２精細度のコンテンツから前記第２精細度の第２映像効果コンテンツを生成し、該第２映像効果コンテンツを前記第２格納装置に収録する、編集システム。
【請求項５】
請求項１ないし４のいずれか１項に記載の編集システムにおいて、
前記第１精細度は、ＨＤＴＶ方式に対応する精細度であり、
前記第２精細度は、ＳＤＴＶ方式に対応する精細度である、編集システム。
【請求項６】
第１および第２格納装置を含み、コンテンツを編集する編集システムが行う編集方法であって、
前記コンテンツを第１精細度で前記第１格納装置に保持する第１保持ステップと、
前記コンテンツを前記第１精細度より粗い第２精細度で前記第２格納装置に保持する第２保持ステップと、
前記第１格納装置に保持された第１精細度のコンテンツを編集する第１編集ステップと、
前記第２格納装置に保持された第２精細度のコンテンツを編集する第２編集ステップと、
前記第２編集ステップで前記第２精細度のコンテンツが編集された際に、前記第２編集ステップによる編集結果に基づいて前記第１精細度のコンテンツを編集し、前記第１編集ステップで前記第１精細度のコンテンツが編集された際に、前記第１編集ステップによる編集結果に基づいて前記第２精細度のコンテンツを編集する編集反映ステップと、を含む編集方法。
【請求項７】
請求項６に記載の編集方法において、
前記第１編集ステップで前記第１精細度のコンテンツを編集してコンテンツを作成している間、前記第２編集ステップにて、前記第１編集ステップで作成中のコンテンツと同じ名称のコンテンツを作成することを禁止し、また、前記第２編集ステップで前記第２精細度のコンテンツを編集してコンテンツを作成している間、前記第１編集ステップにて、前記第２編集ステップで作成中のコンテンツと同じ名称のコンテンツを作成することを禁止する禁止ステップを、さらに含む編集方法。
【請求項８】
請求項６または７のいずれか１項に記載の編集方法において、
前記第１編集ステップまたは前記第２編集ステップで映像効果を伴う編集を行った場合に、前記映像効果に基づいて前記第１精細度のコンテンツから前記第１精細度の第１映像効果コンテンツを生成し、該第１映像効果コンテンツを前記第１格納装置に収録するとともに、前記映像効果に基づいて前記第２精細度のコンテンツから前記第２精細度の第２映像効果コンテンツを生成し、該第２映像効果コンテンツを前記第２格納装置に収録する収録ステップを、さらに含む編集方法。
【請求項９】
請求項６ないし８のいずれか１項に記載の編集方法において、
前記第１精細度は、ＨＤＴＶ方式に対応する精細度であり、
前記第２精細度は、ＳＤＴＶ方式に対応する精細度である、編集方法。
【発明の詳細な説明】
【技術分野】
【０００１】
本発明は、編集システムおよび編集方法に関し、特には、コンテンツを編集する編集システムおよび編集方法に関する。
【背景技術】
【０００２】
現在、地上波デジタル放送用のハイビジョン番組、すなわちＨＤ（High Definition）ＴＶ方式の番組が、放送用システムから放送されている。ＨＤＴＶ方式の番組（コンテンツ）は、地上波アナログ放送用のＳＤ（Standard Definition）ＴＶ方式の番組より高精細であるため、データ量がＳＤＴＶ方式の番組より多い。
【０００３】
放送局は、取材先で高精細な素材映像が得られた場合、例えば以下のようにして素材映像を編集する。
【０００４】
まず、取材先から、素材映像より精細度を落とした編集用の映像が、インターネットを介して放送局に送信される。続いて、高精細な素材映像が、ＶＴＲ等の物理メディアに収録された状態で、取材先から放送局に配達される。放送局は、物理メディアが到着する前に、編集用の映像を事前に編集し、高精細な素材映像が到着した後、その素材映像に、編集用の映像の編集結果を反映させる。
【０００５】
特許文献１（特開２００６−７４４１１号公報）には、動画像編集システムが記載されている。
【０００６】
この動画像編集システムは、入力される原画像から、高精細な映像ファイルと、編集用の処理負荷の低い低精細な映像ファイルを生成する。この動画像編集システムは、高精細な映像ファイルを編集する際、まず、低精細な映像ファイルに対して編集処理を行い、その編集処理の結果を、高精細な映像ファイルに反映させる。
【特許文献１】特開２００６−７４４１１号公報
【発明の開示】
【発明が解決しようとする課題】
【０００７】
現在、１つのコンテンツを複数のユーザで編集したいという要望がある。例えば、同一の映像が、高精細な映像ファイルと低精細な映像ファイルとで管理されている場合、まず、高精細な映像ファイルを用いて映像効果（例えば、ワイプ、ディゾルブ、モザイク）を編集し、その後、低精細な映像ファイルを用いてカット割編集を行いたいという要望がある。
【０００８】
特許文献１に記載された動画像編集システムでは、低精細な映像ファイルに対する編集結果を、高精細な映像ファイルに反映させることができるが、高精細な映像ファイルに対する編集結果を、低精細な映像ファイルに反映させることができない。
【０００９】
このため、この動画像編集システムは、まず、高精細な映像ファイルで編集を行い、その後、その編集結果を反映した低精細な映像ファイルで編集したいという要望に応じることができない。
【００１０】
本発明の目的は、低精細なコンテンツに対する編集結果を高精細なコンテンツに反映させるだけでなく、高精細なコンテンツに対する編集結果を低精細なコンテンツに反映させる編集システムおよび編集方法を提供することである。
【課題を解決するための手段】
【００１１】
上記目的を達成するために、本発明の編集システムは、コンテンツを編集する編集システムであって、前記コンテンツを第１精細度で保持する第１格納装置と、前記コンテンツを前記第１精細度より粗い第２精細度で保持する第２格納装置と、前記第１格納装置に保持された第１精細度のコンテンツを編集する第１編集装置と、前記第２格納装置に保持された第２精細度のコンテンツを編集する第２編集装置と、前記第２編集装置が前記第２精細度のコンテンツを編集した際に、前記第２編集装置による編集結果に基づいて前記第１精細度のコンテンツを編集し、前記第１編集装置が前記第１精細度のコンテンツを編集した際に、前記第１編集装置による編集結果に基づいて前記第２精細度のコンテンツを編集する編集反映装置と、を含む。
【００１２】
また、本発明の編集方法は、第１および第２格納装置を含み、コンテンツを編集する編集システムが行う編集方法であって、前記コンテンツを第１精細度で前記第１格納装置に保持する第１保持ステップと、前記コンテンツを前記第１精細度より粗い第２精細度で前記第２格納装置に保持する第２保持ステップと、前記第１格納装置に保持された第１精細度のコンテンツを編集する第１編集ステップと、前記第２格納装置に保持された第２精細度のコンテンツを編集する第２編集ステップと、前記第２編集ステップで前記第２精細度のコンテンツが編集された際に、前記第２編集ステップによる編集結果に基づいて前記第１精細度のコンテンツを編集し、前記第１編集ステップで前記第１精細度のコンテンツが編集された際に、前記第１編集ステップによる編集結果に基づいて前記第２精細度のコンテンツを編集する編集反映ステップと、を含む。
【００１３】
上記発明によれば、第１精細度のコンテンツは、第２精細度のコンテンツの編集結果に基づいて編集され、第２精細度のコンテンツは、第１精細度のコンテンツの編集結果に基づいて編集される。
【００１４】
このため、第２精細度のコンテンツに対する編集結果を、第１精細度のコンテンツに反映させるだけでなく、第１精細度のコンテンツに対する編集結果を、第２精細度のコンテンツに反映させることが可能になる。よって、例えば、まず、高精細なコンテンツで編集を行い、その後、その編集結果を反映した低精細なコンテンツで編集したいという要望に応じることが可能になる。
【００１５】
なお、前記編集反映装置は、前記第１精細度のコンテンツを編集するための第３編集装置と、前記第２精細度のコンテンツを編集するための第４編集装置と、前記第２編集装置が前記第２精細度のコンテンツを編集した際に、前記第３編集装置を用いて、前記第１精細度のコンテンツを前記第２編集装置による編集結果に基づいて編集し、前記第１編集装置が前記第１精細度のコンテンツを編集した際に、前記第４編集装置を用いて、前記第２精細度のコンテンツを前記第１編集装置による編集結果に基づいて編集する編集管理装置と、を含むことが望ましい。
【００１６】
上記発明によれば、編集管理装置にて編集結果の反映を管理することができる。
【００１７】
また、前記編集反映装置は、前記編集反映装置は、前記第１編集装置が前記第１精細度のコンテンツを編集してコンテンツを作成している間、前記第２編集装置が、前記第１編集装置が作成中のコンテンツと同じ名称のコンテンツを作成することを禁止し、また、前記第２編集装置が前記第２精細度のコンテンツを編集してコンテンツを作成している間、前記第１編集装置が、前記第２編集装置が作成中のコンテンツと同じ名称のコンテンツを作成することを禁止することが望ましい。
【００１８】
上記発明によれば、同一名称のコンテンツが、第１および第２編集装置で同時に編集されて作成されることを防止できる。
【００１９】
このため、同一名称のコンテンツが、第１および第２編集装置で同時に作成され、先に編集が完了したコンテンツが、後で編集が完了したコンテンツに上書きされ、先に編集が完了したコンテンツの内容が消去されてしまうという不都合を回避可能となる。
【００２０】
また、前記編集反映装置は、前記第１編集装置または前記第２編集装置が映像効果を伴う編集を行った場合に、前記映像効果に基づいて前記第１精細度のコンテンツから前記第１精細度の第１映像効果コンテンツを生成し、該第１映像効果コンテンツを前記第１格納装置に収録するとともに、前記映像効果に基づいて前記第２精細度のコンテンツから前記第２精細度の第２映像効果コンテンツを生成し、該第２映像効果コンテンツを前記第２格納装置に収録することが望ましい。
【００２１】
上記発明によれば、映像効果に基づいた第１および第２映像効果コンテンツを収録することが可能になる。このため、例えば、映像効果コンテンツを再利用することが可能になる。
【００２２】
また、前記第１精細度は、ＨＤＴＶ方式に対応する精細度であり、前記第２精細度は、ＳＤＴＶ方式に対応する精細度であることが望ましい。
【００２３】
上記発明によれば、第２精細度のコンテンツは、ＳＤＴＶ方式に準じることになり、例えば、第２精細度のコンテンツが、放送番組として送出されても、視聴者は、その放送番組を、地上波アナログ放送用の番組と同様に認識することが可能になる。また、第２精細度のコンテンツに対し、信号変換装置（アップコンバータ）を使用することにより、ＨＤＴＶ方式に対応する精細度にて放送番組として送出することも可能である。
【発明の効果】
【００２４】
本発明によれば、低精細なコンテンツに対する編集結果を高精細なコンテンツに反映させるだけでなく、高精細なコンテンツに対する編集結果を低精細なコンテンツに反映させることが可能になる。
【発明を実施するための最良の形態】
【００２５】
以下、本発明の実施例を図面を参照して説明する。
【００２６】
図１は、本発明の一実施例の編集システムを示したブロック図である。
【００２７】
図１において、編集システムは、放送局にて使用され、ＨＤ用ストレージ１と、ＳＤ用ストレージ２と、マトリクススイッチャー３と、マトリクススイッチャー制御装置４と、信号分配装置５と、信号変換装置６と、ＨＤ用収録サーバー７と、ＳＤ用収録サーバー８と、収録制御装置９と、ファイル変換装置１０と、ＨＤ用ノンリニア編集機１１と、ＳＤ用ノンリニア編集機１２と、編集反映装置１３と、を含む。
【００２８】
編集反映装置１３は、ＨＤファイル編集管理装置１４と、ＳＤファイル編集管理装置１５と、収録・編集系管理サーバー１６と、を含む。ＨＤファイル編集管理装置１４は、ＨＤファイル管理サーバー１４ａと、ＨＤレンダリング装置１４ｂとを含む。ＳＤファイル編集管理装置１５は、ＳＤファイル管理サーバー１５ａと、ＳＤレンダリング装置１５ｂとを含む。
【００２９】
ＨＤ用ストレージ１は、第１格納装置の一例である。ＨＤ用ストレージ１には、ＨＤＴＶ方式のコンテンツ（ＭＰＥＧ２形式の１００Ｍｂｐｓのデータ）が収録される。以下、ＨＤＴＶ方式のコンテンツを、第１精細度を有する「ＨＤコンテンツ」と称する。
【００３０】
ＳＤ用ストレージ２は、第２格納装置の一例である。ＳＤ用ストレージ２には、ＳＤＴＶ方式のコンテンツ（ＭＰＥＧ２形式の２０Ｍｂｐｓのデータ）が収録される。以下、ＳＤＴＶ方式のコンテンツを、第２精細度を有する「ＳＤコンテンツ」と称する。
【００３１】
ＨＤ用ストレージ１およびＳＤ用ストレージ２は、例えば、ハードディスクにて構成される。
【００３２】
マトリクススイッチャー３は、マトリクススイッチャー制御装置４にて制御される。
【００３３】
マトリクススイッチャー３は、他の放送局および新聞社等の複数の情報提供元から提供された複数のコンテンツ（例えば、音声付動画像データ）を並列に受け付ける。なお、情報提供元から提供されるコンテンツは、ＨＤＴＶ方式のベースバンド信号（以下「ＨＤベースバンド信号」と称する。）である。
【００３４】
マトリクススイッチャー３は、マトリクススイッチャー制御装置４の制御に基づいて、それら複数のコンテンツの中から収録用コンテンツを選択し、その収録用コンテンツを信号分配装置５に提供する。
【００３５】
マトリクススイッチャー制御装置４は、収録・編集系管理サーバー１６によって制御され、マトリクススイッチャー３を制御する。
【００３６】
信号分配装置５は、マトリクススイッチャー３から提供された収録用コンテンツ（ＨＤベースバンド信号）を、信号変換装置６とＨＤ用収録サーバー７に提供する。
【００３７】
信号変換装置６は、信号分配装置５から提供された収録用コンテンツ、すなわち、ＨＤベースバンド信号を、ＳＤＴＶ方式のベースバンド信号（以下「ＳＤベースバンド信号」と称する。）に変換する。
【００３８】
信号変換装置６は、ＳＤベースバンド信号の収録用コンテンツを、ＳＤ用収録サーバー８に提供する。
【００３９】
ＨＤ用収録サーバー７は、第１収録装置の一例であり、信号分配装置５から提供されたＨＤベースバンド信号の収録用コンテンツを、ＭＰＥＧ２形式の１００Ｍｂｐｓ（第１精細度）のＩフレームのみで構成されたデータファイル（ＨＤコンテンツ）に変換し、そのＭＰＥＧ２形式の１００Ｍｂｐｓのデータファイルを、放送用コンテンツとして、ＨＤ用ストレージ１に収録する。
【００４０】
換言すると、ＨＤ用収録サーバー７は、ＨＤベースバンド信号の収録用コンテンツを、第１精細度で、放送用コンテンツとして、ＨＤ用ストレージ１に収録する。
【００４１】
また、ＨＤ用収録サーバー７は、キーボード等の操作部から送信指示を受け付けた場合、ＨＤ用ストレージ１に収録された放送用コンテンツを放送番組として送出（放送）する。
【００４２】
ＳＤ用収録サーバー８は、第２収録装置の一例であり、信号変換装置６から提供されたＳＤベースバンド信号の収録用コンテンツを、ＭＰＥＧ２形式の２０Ｍｂｐｓ（第２精細度）のＩフレームのみで構成されたデータファイル（ＳＤコンテンツ）に変換し、そのＭＰＥＧ２形式の２０Ｍｂｐｓのデータファイルを、予備コンテンツとして、ＳＤ用ストレージ２に収録する。
【００４３】
換言すると、ＳＤ用収録サーバー８は、ＳＤベースバンド信号の収録用コンテンツを、第１精細度より粗い第２精細度で、予備コンテンツとして、ＳＤ用ストレージ２に収録する。
【００４４】
また、ＳＤ用収録サーバー８は、キーボード等の操作部から送信指示を受け付けた場合、ＳＤ用ストレージ２に収録された予備コンテンツを放送番組として送出（放送）する。
【００４５】
収録制御装置９は、ＨＤ用収録サーバー７とＳＤ用収録サーバー８の収録動作を同期させる。このため、マトリクススイッチャー３から出力されたコンテンツが、異なる精細度で、ＨＤ用ストレージ１およびＳＤ用ストレージ２にそれぞれ収録される。
【００４６】
ファイル変換装置１０は、第３収録装置の一例であり、例えば、ユーザ等から変換指示を受け付けると、ＨＤ用ストレージ１に収録されたＨＤコンテンツ（ＭＰＥＧ２形式の１００Ｍｂｐｓのデータファイル）を、ＭＰＥＧ２形式の２０Ｍｂｐｓのデータファイルで表されるＳＤコンテンツに変換する。
【００４７】
ファイル変換装置１０は、そのＭＰＥＧ２形式の２０Ｍｂｐｓのデータファイルで表されるＳＤコンテンツを、予備コンテンツとして、ＳＤ用ストレージ２に収録する。
【００４８】
ＨＤ用ノンリニア編集機１１は、第１編集装置の一例であり、ユーザにて操作され、ＨＤ用ストレージ１に収録されたＨＤコンテンツ（データファイル）を、ユーザの操作に基づいて編集する。
【００４９】
例えば、ＨＤ用ノンリニア編集機１１は、ユーザの操作に基づいて、ＨＤ用ストレージ１内の複数のＨＤコンテンツから必要な部分を集めて、それらをつなぎ合わせて、新たなコンテンツ（以下「レンダリング無しシーケンス」と称する。）を生成する。
【００５０】
ＨＤ用ノンリニア編集機１１は、レンダリング無しシーケンスを生成するための編集データを生成し、その編集データを編集反映装置１３（具体的には、収録・編集系管理サーバー１６）に提供する。
【００５１】
図２は、レンダリング無しシーケンスを生成するための編集データ２００の一例を示した説明図である。
【００５２】
図２において、編集データ２００は、少なくとも、レンダリング無しシーケンスのファイル名２０１と、使用するコンテンツのファイル名（名称）２０２と、ファイル名２０２のコンテンツの必要な部分の開始位置２０３および終了位置２０４とを含む。
【００５３】
開始位置２０３と終了位置２０４は、コンテンツ内のＩフレームを特定するための情報である。開始位置２０３と終了位置２０４としては、例えば、各フレームに付加されているタイムコードとフレーム番号が用いられる。
【００５４】
また、ＨＤ用ノンリニア編集機１１は、ユーザの操作に基づいて、ＨＤ用ストレージ１内のＨＤコンテンツの一部にワイプ、ディゾルブ、モザイクなどの映像効果（レンダリング）を加え、その映像効果が加えられた部分と、ＨＤ用ストレージ１内の複数のＨＤコンテンツから集められた必要な部分をつなぎ合わせて、新たなコンテンツ（以下「レンダリング有りシーケンス」と称する。）を生成する。
【００５５】
ＨＤ用ノンリニア編集機１１は、レンダリング有りシーケンスを生成するための編集データを生成し、その編集データを編集反映装置１３（具体的には、収録・編集系管理サーバー１６）に提供する。
【００５６】
図３は、レンダリング有りシーケンスを生成するための編集データ３００の一例を示した説明図である。なお、このレンダリング有りシーケンスでは、シーン切り換え時にレンダリングが付加されているものとする。
【００５７】
図３において、編集データ３００は、少なくとも、レンダリング有りシーケンスのファイル名３０１と、使用するコンテンツのファイル名（名称）３０２と、ファイル名３０２のコンテンツの必要な部分の開始位置３０３および終了位置３０４と、レンダリングの内容を示すレンダリング情報３０５と、を含む。
【００５８】
開始位置３０３と終了位置３０４は、コンテンツ内のＩフレームを特定するための情報である。開始位置３０３と終了位置３０４としては、例えば、各フレームに付加されているタイムコードとフレーム番号が用いられる。
【００５９】
レンダリング情報３０５は、少なくとも、映像効果の種類（例えば、ワイプ、ディゾルブ、モザイクなど）を示す種類情報３０５ａ、映像効果を施す部分（フレーム）およびそのフレーム内の位置を示す位置情報３０５ｂと、を含む。
【００６０】
なお、収録・編集系管理サーバー１６は、ＨＤ用ノンリニア編集機１１から受け付けた編集データを、ＳＤファイル編集管理装置１５（具体的には、ＳＤファイル管理サーバー１５ａ）に提供し、また、その編集データにレンダリング情報が含まれていると、そのレンダリング情報を、ＨＤレンダリング装置１４ｂとＳＤレンダリング装置１５ｂに提供する。
【００６１】
ＳＤ用ノンリニア編集機１２は、第２編集装置の一例であり、ユーザにて操作され、ＳＤ用ストレージ２に収録されたＳＤコンテンツ（データファイル）を、ユーザの操作に基づいて編集する。
【００６２】
例えば、ＳＤ用ノンリニア編集機１２は、ユーザの操作に基づいて、ＳＤ用ストレージ２内の複数のＳＤコンテンツから必要な部分を集めて、それらをつなぎ合わせて、新たなコンテンツ（レンダリング無しシーケンス）を生成する。
【００６３】
ＳＤ用ノンリニア編集機１２は、レンダリング無しシーケンスを生成するための編集データを生成し、その編集データを編集反映装置１３（具体的には、収録・編集系管理サーバー１６）に提供する。
【００６４】
なお、ＳＤ用ノンリニア編集機１２が生成するレンダリング無しシーケンス用の編集データのフォーマットは、ＨＤ用ノンリニア編集機１１が生成する編集データのフォーマットと同一である（図２参照）。
【００６５】
また、ＳＤ用ノンリニア編集機１２は、ユーザの操作に基づいて、ＳＤ用ストレージ２内のＳＤコンテンツの一部にワイプなどの映像効果を加え、その映像効果が加えられた部分と、ＳＤ用ストレージ２内の複数のＳＤコンテンツから集められた必要な部分をつなぎ合わせて、新たなコンテンツ（レンダリング有りシーケンス）を生成する。
【００６６】
ＳＤ用ノンリニア編集機１２は、レンダリング有りシーケンスを生成するための編集データを生成し、その編集データを編集反映装置１３（具体的には、収録・編集系管理サーバー１６）に提供する。
【００６７】
なお、ＳＤ用ノンリニア編集機１２が生成するレンダリング有りシーケンス用の編集データのフォーマットは、ＨＤ用ノンリニア編集機１１が生成する編集データのフォーマットと同一である（図３参照）。
【００６８】
なお、収録・編集系管理サーバー１６は、ＳＤ用ノンリニア編集機１２から受け付けた編集データを、ＨＤファイル編集管理装置１４（具体的には、ＨＤファイル管理サーバー１４ａ）に提供し、また、その編集データにレンダリング情報が含まれていると、そのレンダリング情報を、ＨＤレンダリング装置１４ｂとＳＤレンダリング装置１５ｂに提供する。
【００６９】
編集反映装置１３は、ＳＤ用ノンリニア編集機１２がＳＤ用ストレージ２内のＳＤコンテンツを編集した際に、ＳＤ用ノンリニア編集機１２による編集結果に基づいて、ＨＤ用ストレージ１内のＨＤコンテンツを編集する。
【００７０】
また、編集反映装置１３は、ＨＤ用ノンリニア編集機１１がＨＤ用ストレージ１内のＨＤコンテンツを編集した際に、ＨＤ用ノンリニア編集機１１による編集結果に基づいて、ＳＤ用ストレージ２内のＳＤコンテンツを編集する。
【００７１】
編集反映装置１３は、ＨＤ用ノンリニア編集機１１がＨＤ用ストレージ１内のＨＤコンテンツを編集して所定名のコンテンツを作成している間、ＳＤ用ノンリニア編集機１２がＳＤ用ストレージ２内のＳＤコンテンツを編集してその所定名のコンテンツを作成することを禁止する。
【００７２】
また、編集反映装置１３は、ＳＤ用ノンリニア編集機１２がＳＤ用ストレージ２内のＳＤコンテンツを編集して特定名のコンテンツを作成している間、ＨＤ用ノンリニア編集機１１がＨＤ用ストレージ１内のＨＤコンテンツを編集してその特定名のコンテンツを作成することを禁止する。
【００７３】
編集反映装置１３は、ＨＤ用ノンリニア編集機１１またはＳＤ用ノンリニア編集機１２が映像効果を伴う編集を行った場合に、以下のように動作する。
【００７４】
編集反映装置１３は、その映像効果に基づいて、ＨＤ用ストレージ１内のＨＤコンテンツから、ＭＰＥＧ２形式の１００ＭｂｐｓのＩフレームからなる第１レンダリングファイル（第１映像効果コンテンツ）を生成し、その第１レンダリングファイルをＨＤ用ストレージ１に収録する。
【００７５】
さらに、編集反映装置１３は、その映像効果に基づいて、ＳＤ用ストレージ２内のＳＤコンテンツから、ＭＰＥＧ２形式の２０ＭｂｐｓのＩフレームからなる第２レンダリングファイル（第２映像効果コンテンツ）を生成し、その第２レンダリングファイルをＳＤ用ストレージ２に収録する。
【００７６】
ＨＤファイル編集管理装置１４は、第３編集装置の一例であり、収録・編集系管理サーバー１６からの指示に従って、ＨＤ用ストレージ１内のＨＤコンテンツを編集する。
【００７７】
ＨＤファイル管理サーバー１４ａは、収録・編集系管理サーバー１６から編集データを受け付けると、その編集データをＨＤ用ストレージ１に収録する。
【００７８】
ＨＤレンダリング装置１４ｂは、収録・編集系管理サーバー１６からレンダリング情報を受け付けると、そのレンダリング情報に基づいて、ＨＤ用ストレージ１内のＨＤコンテンツを編集して、第１レンダリングファイルを生成し、その第１レンダリングファイルをＨＤ用ストレージ１に収録する。
【００７９】
ＳＤファイル編集管理装置１５は、第４編集装置の一例であり、収録・編集系管理サーバー１６からの指示に従って、ＳＤ用ストレージ２内のＳＤコンテンツを編集する。
【００８０】
ＳＤファイル管理サーバー１５ａは、収録・編集系管理サーバー１６から編集データを受け付けると、その編集データをＳＤ用ストレージ２に収録する。
【００８１】
ＳＤレンダリング装置１５ｂは、収録・編集系管理サーバー１６からレンダリング情報を受け付けると、そのレンダリング情報に基づいて、ＳＤ用ストレージ２内のＳＤコンテンツを編集して、第２レンダリングファイルを生成し、その第２レンダリングファイルをＳＤ用ストレージ２に収録する。
【００８２】
収録・編集系管理サーバー１６は、編集管理装置の一例である。
【００８３】
収録・編集系管理サーバー１６は、ＳＤ用ノンリニア編集機１２から、ＳＤ用ストレージ２内のＳＤコンテンツの編集結果（編集データ）を受け付ける。収録・編集系管理サーバー１６は、その編集データをＨＤファイル編集管理装置１４に提供して、ＳＤ用ノンリニア編集機１２による編集結果に基づいてＨＤ用ストレージ１内のＨＤコンテンツを編集する処理を、ＨＤファイル編集管理装置１４に実行させる。
【００８４】
また、収録・編集系管理サーバー１６は、ＨＤ用ノンリニア編集機１１から、ＨＤ用ストレージ１内のＨＤコンテンツの編集結果（編集データ）を受け付ける。収録・編集系管理サーバー１６は、その編集結果をＳＤファイル編集管理装置１５に提供して、ＨＤ用ノンリニア編集機１１による編集結果に基づいてＳＤ用ストレージ２内のＳＤコンテンツを編集する処理を、ＳＤファイル編集管理装置１５に実行させる。
【００８５】
次に、動作を説明する。
【００８６】
まず、コンテンツの収録動作を説明する。
【００８７】
マトリクススイッチャー３は、マトリクススイッチャー制御装置４による制御にしたがって、情報提供元から提供されたコンテンツから収録用コンテンツを選択し、その収録用のコンテンツを信号分配装置５に提供する。
【００８８】
信号分配装置５は、マトリクススイッチャー３から収録用コンテンツを受け付けると、その収録用コンテンツを、信号変換装置６とＨＤ用収録サーバー７に提供する。
【００８９】
信号変換装置６は、ＨＤベースバンド信号の収録用コンテンツを受け付けると、その収録用コンテンツをＳＤベースバンド信号に変換し、そのＳＤベースバンド信号の収録用コンテンツを、ＳＤ用収録サーバー８に提供する。
【００９０】
収録制御装置９は、ＨＤ用収録サーバー７とＳＤ用収録サーバー８に、収録開始信号を同時に提供する。ＨＤ用収録サーバー７とＳＤ用収録サーバー８は、収録開始信号を受け付けると、収録動作を開始する。
【００９１】
ＨＤ用収録サーバー７は、信号分配装置５からＨＤベースバンド信号の収録用コンテンツを受け付けると、そのＨＤベースバンド信号の収録用コンテンツをＭＰＥＧ２形式の１００ＭｂｐｓのＩフレームのみで構成されたデータファイルに変換し、そのＭＰＥＧ２形式の１００Ｍｂｐｓのデータファイル（ＨＤコンテンツ）を、放送用コンテンツとして、ＨＤ用ストレージ１に収録する。
【００９２】
また、ＳＤ用収録サーバー８は、信号変換装置６からＳＤベースバンド信号の収録用コンテンツを受け付けると、そのＳＤベースバンド信号の収録用コンテンツをＭＰＥＧ２形式の２０ＭｂｐｓのＩフレームのみで構成されたデータファイル（ＳＤコンテンツ）に変換し、そのＭＰＥＧ２形式の２０Ｍｂｐｓのデータファイルを、予備コンテンツとして、ＳＤ用ストレージ２に収録する。
【００９３】
ＨＤ用収録サーバー７とＳＤ用収録サーバー８はフレーム単位で同期して収録用コンテンツを収録することとし、ＨＤコンテンツを構成するＩフレームと、ＳＤコンテンツを構成するＩフレームとは同期する。
【００９４】
なお、ＨＤコンテンツのＩフレームは、ＭＰＥＧ２形式の１００Ｍｂｐｓのデータであり、ＳＤコンテンツのＩフレームは、ＭＰＥＧ２形式の２０Ｍｂｐｓのデータである。このため、ＨＤコンテンツのＩフレームのデータ量は、同期するＳＤコンテンツのＩフレームのデータ量の５倍となる。
【００９５】
図４は、ＨＤコンテンツとＳＤコンテンツとを模式的に示した説明図である。
【００９６】
図４に示したように、ＨＤコンテンツを構成するＩフレームと、ＳＤコンテンツを構成するＩフレームとは同期し、ＨＤコンテンツのＩフレームのデータ量は、同期するＳＤコンテンツのＩフレームのデータ量の５倍となる。
【００９７】
なお、ＳＤ用収録サーバー８に不具合が生じて、ＳＤ用ストレージ２にＳＤコンテンツが収録されなかった場合、ユーザは、ファイル変換装置１０に変換指示を入力する。
【００９８】
ファイル変換装置１０は、変換指示を受け付けると、ＨＤ用ストレージ１に収録されたＨＤコンテンツ（ＭＰＥＧ２形式の１００ＭｂｐｓのＩフレームのみで構成されたデータファイル）を、ＭＰＥＧ２形式の２０ＭｂｐｓのＩフレームのみで構成されたデータファイルで表されるＳＤコンテンツに変換し、そのＳＤコンテンツを、予備コンテンツとして、ＳＤ用ストレージ２に収録する。
【００９９】
続いて、コンテンツの編集動作を説明する。
【０１００】
最初に、編集動作のうち、編集の排他処理を説明する。
【０１０１】
ユーザは、ＨＤ用ノンリニア編集機１１を用いて、ＨＤ用ストレージ１内のＨＤコンテンツ（データファイル）を編集でき、また、ＳＤ用ノンリニア編集機１２を用いて、ＳＤ用ストレージ２内のＳＤコンテンツ（データファイル）を編集できる。
【０１０２】
編集反映装置１３は、ＨＤ用ノンリニア編集機１１とＳＤ用ノンリニア編集機１２とが同時に同一名のシーケンス（コンテンツ）を作成することを禁止する。
【０１０３】
例えば、ＳＤ用ノンリニア編集機１２は、名称がシーケンスＡであるシーケンスを編集によって作成する場合、収録・編集系管理サーバー１６に対し、シーケンスＡをオープンする（開く）旨を通知する。
【０１０４】
収録・編集系管理サーバー１６は、その通知を受け付けると、シーケンスＡがＳＤ用ノンリニア編集機１２でオープンされていることを管理する。
【０１０５】
その後、収録・編集系管理サーバー１６は、ＨＤ用ノンリニア編集機１１から、シーケンスＡをオープンする旨の通知を受け付けると、シーケンスＡは他のノンリニア編集機でオープンされていることを、ＨＤ用ノンリニア編集機１１に通知し、ＨＤ用ノンリニア編集機１１でのシーケンスＡの作成を禁止する。
【０１０６】
その後、ＳＤ用ノンリニア編集機１２は、シーケンスＡの編集が完了すると、収録・編集系管理サーバー１６に対し、シーケンスＡをクローズした（閉じた）旨を通知する。
【０１０７】
収録・編集系管理サーバー１６は、その通知を受け付けると、他の編集機がシーケンスＡを編集することを許可する。
【０１０８】
また、ＨＤ用ノンリニア編集機１１は、名称がシーケンスＢであるシーケンスを編集によって作成する場合、収録・編集系管理サーバー１６に対し、シーケンスＢをオープンする旨を通知する。
【０１０９】
収録・編集系管理サーバー１６は、その通知を受け付けると、シーケンスＢがＨＤ用ノンリニア編集機１１でオープンされていることを管理する。
【０１１０】
その後、収録・編集系管理サーバー１６は、ＳＤ用ノンリニア編集機１２から、シーケンスＢをオープンする旨の通知を受け付けると、シーケンスＢは他のノンリニア編集機でオープンされていることを、ＳＤ用ノンリニア編集機１２に通知し、ＳＤ用ノンリニア編集機１２でのシーケンスＢの作成を禁止する。
【０１１１】
その後、ＨＤ用ノンリニア編集機１１は、シーケンスＢの編集が完了すると、収録・編集系管理サーバー１６に対し、シーケンスＢをクローズした旨を通知する。
【０１１２】
収録・編集系管理サーバー１６は、その通知を受け付けると、他の編集機がシーケンスＢを編集することを許可する。
【０１１３】
次に、編集反映動作を説明する。具体的には、以下の４つのケースを説明する。
【０１１４】
（Ａ）ＳＤ用ノンリニア編集機１２がＳＤコンテンツに対してカット編集（レンダリング無し）を行った場合、その編集結果をＨＤコンテンツへ反映させる方法
（Ｂ）ＨＤ用ノンリニア編集機１１がＨＤコンテンツに対してカット編集（レンダリング無し）を行った場合、その編集結果をＳＤコンテンツへ反映させる方法
（Ｃ）ＳＤ用ノンリニア編集機１２がＳＤコンテンツに対してレンダリングが必要な編集を行った場合、その編集結果をＨＤコンテンツへ反映させる方法
（Ｄ）ＨＤ用ノンリニア編集機１１がＨＤコンテンツに対してレンダリングが必要な編集を行った場合、その編集結果をＳＤコンテンツへ反映させる方法
図５は、上記（Ａ）のケースを説明するための説明図である。
【０１１５】
なお、図５では、クリップＡ、ＢおよびＣとして示されたコンテンツが、ＭＰＥＧ２形式の２０Ｍｂｐｓの複数のＩフレームで、ＳＤ用ストレージ２に収録され、クリップＡ、ＢおよびＣのコンテンツが、ＭＰＥＧ２形式の１００Ｍｂｐｓの複数のＩフレームで、ＨＤ用ストレージ１に収録されているものとする。
【０１１６】
ステップＳ５１では、ＳＤ用ノンリニア編集機１２は、ＳＤ用ストレージ２内のクリップＡ、ＢおよびＣから必要な箇所を抜き出しシーケンス１（レンダリング無しシーケンス）を作成する。
【０１１７】
ＳＤ用ノンリニア編集機１２は、シーケンス１を作成するための編集を終了すると、ステップＳ５２を実行する。
【０１１８】
ステップＳ５２では、ＳＤ用ノンリニア編集機１２は、収録・編集系管理サーバー１６に、シーケンス１の編集が完了したことを通知する。
【０１１９】
具体的には、ＳＤ用ノンリニア編集機１２は、シーケンス１を生成するためのシーケンス１用編集データ（図２参照）を生成し、そのシーケンス１用編集データを、ＳＤ用ストレージ２に生成するとともに、収録・編集系管理サーバー１６に提供する。なお、シーケンス１にはレンダリングが無いので、シーケンス１用編集データにはレンダリング情報が付与されない。
【０１２０】
収録・編集系管理サーバー１６は、シーケンス１用編集データを受け付けると、ステップＳ５３を実行する。
【０１２１】
ステップＳ５３では、収録・編集系管理サーバー１６は、新たに作成されたシーケンス１にレンダリングが必要か否かを判断する。
【０１２２】
具体的には、収録・編集系管理サーバー１６は、シーケンス１用編集データにレンダリング情報が付与されていれば、レンダリングが必要と判断し、一方、シーケンス１用編集データにレンダリング情報が付与されていなければ、レンダリングは不要と判断する。
【０１２３】
本ケースでは、収録・編集系管理サーバー１６は、レンダリングは不要と判断する。
【０１２４】
収録・編集系管理サーバー１６は、レンダリングは不要と判断すると、ステップＳ５４を実行する。
【０１２５】
ステップＳ５４では、収録・編集系管理サーバー１６は、ＨＤ側にもシーケンス１を生成させるため、ＨＤファイル管理サーバー１４ａに、シーケンス１の作成指示を行う。具体的には、収録・編集系管理サーバー１６は、シーケンス１用編集データを、ＨＤファイル管理サーバー１４ａに提供する。
【０１２６】
ＨＤファイル管理サーバー１４ａは、シーケンス１用編集データを受け付けると、ステップＳ５５を実行する。
【０１２７】
ステップＳ５５では、ＨＤファイル管理サーバー１４ａは、自己のファイル管理上にシーケンス１を生成する。
【０１２８】
具体的には、ＨＤファイル管理サーバー１４ａは、シーケンス１用編集データを、ＨＤ用ストレージ１に生成する。
【０１２９】
なお、シーケンス１は、物理的なファイルとして各ストレージ１および２に存在するわけではなく、クリップＡ、ＢおよびＣのどの部分を使用しているかという編集情報として、ＨＤファイル管理サーバー１４ａおよびＳＤファイル管理サーバー１５ａによって等価的に管理される。
【０１３０】
また、ＳＤ用ストレージ２内のクリップＡを構成するＩフレームと、ＨＤ用ストレージ１内のクリップＡを構成するＩフレームは同期し、ＳＤ用ストレージ２内のクリップＢを構成するＩフレームと、ＨＤ用ストレージ１内のクリップＢを構成するＩフレームは同期し、ＳＤ用ストレージ２内のクリップＣを構成するＩフレームと、ＨＤ用ストレージ１内のクリップＣを構成するＩフレームは同期しているため、シーケンス１用編集データにて示される、必要な部分の開始位置および終了位置は、同期している双方のＩフレームに対応する。
【０１３１】
この結果、ＳＤノンリニア編集機１２で編集したシーケンス１（カット編集（レンダリング無し））のファイルが、ＨＤノンリニア編集機１１で開かれると、ＨＤノンリニア編集機１１は、シーケンス１用編集データに基づいて、ＨＤ用ストレージ１内のクリップＡ、ＢおよびＣから必要な箇所を抜き出しシーケンス１を参照し表示する。
【０１３２】
図６は、上記（Ｂ）のケース（ＨＤ用ノンリニア編集機１１がＨＤコンテンツに対してカット編集（レンダリング無し）を行った場合、その編集結果をＳＤコンテンツへ反映させる方法）を説明するための説明図である。
【０１３３】
なお、図６でも、クリップＡ、ＢおよびＣのコンテンツが、ＭＰＥＧ２形式の２０Ｍｂｐｓの複数のＩフレームでＳＤ用ストレージ２に収録され、クリップＡ、ＢおよびＣのコンテンツが、ＭＰＥＧ２形式の１００Ｍｂｐｓの複数のＩフレームでＨＤ用ストレージ１に収録されているものとする。
【０１３４】
ステップＳ６１では、ＨＤ用ノンリニア編集機１１は、ＨＤ用ストレージ１内のクリップＡ、ＢおよびＣから必要な箇所を抜き出しシーケンス１（レンダリング無しシーケンス）を作成する。
【０１３５】
ＨＤ用ノンリニア編集機１１は、シーケンス１を作成するための編集を終了すると、ステップＳ６２を実行する。
【０１３６】
ステップＳ６２では、ＨＤ用ノンリニア編集機１１は、収録・編集系管理サーバー１６に、シーケンス１の編集が完了したことを通知する。
【０１３７】
具体的には、ＨＤ用ノンリニア編集機１１は、シーケンス１を生成するためのシーケンス１用編集データ（図２参照）を生成し、そのシーケンス１用編集データを、ＨＤ用ストレージ１に生成するとともに、収録・編集系管理サーバー１６に提供する。なお、シーケンス１にはレンダリングが無いので、シーケンス１用編集データにはレンダリング情報が付与されない。
【０１３８】
収録・編集系管理サーバー１６は、シーケンス１用編集データを受け付けると、ステップＳ６３を実行する。
【０１３９】
ステップＳ６３では、収録・編集系管理サーバー１６は、新たに作成されたシーケンス１にレンダリングが必要か否かを判断する。
【０１４０】
具体的には、収録・編集系管理サーバー１６は、シーケンス１用編集データにレンダリング情報が付与されていれば、レンダリングが必要と判断し、一方、シーケンス１用編集データにレンダリング情報が付与されていなければ、レンダリングは不要と判断する。
【０１４１】
本ケースでは、収録・編集系管理サーバー１６は、レンダリングは不要と判断する。
【０１４２】
収録・編集系管理サーバー１６は、レンダリングは不要と判断すると、ステップＳ６４を実行する。
【０１４３】
ステップＳ６４では、収録・編集系管理サーバー１６は、ＳＤ側にもシーケンス１を生成させるため、ＳＤファイル管理サーバー１５ａに、シーケンス１の作成指示を行う。具体的には、収録・編集系管理サーバー１６は、シーケンス１用編集データを、ＳＤファイル管理サーバー１５ａに提供する。
【０１４４】
ＳＤファイル管理サーバー１５ａは、シーケンス１用編集データを受け付けると、ステップＳ６５を実行する。
【０１４５】
ステップＳ６５では、ＳＤファイル管理サーバー１５ａは、自己のファイル管理上にシーケンス１を生成する。
【０１４６】
具体的には、ＳＤファイル管理サーバー１５ａは、シーケンス１用編集データを、ＳＤ用ストレージ２に収録する。
【０１４７】
なお、上述したとおり、シーケンス１は、物理的なファイルとして、ＨＤ用ストレージ１およびＳＤ用ストレージ２に存在するわけではなく、クリップＡ、ＢおよびＣのどの部分を使用しているかという情報として、ＨＤファイル管理サーバー１４ａおよびＳＤファイル管理サーバー１５ａによって等価的に管理される。
【０１４８】
この結果、ＨＤノンリニア編集機１１で編集したシーケンス１（カット編集（レンダリング無し））のファイルが、ＳＤノンリニア編集機１２で開かれると、ＳＤノンリニア編集機１２は、シーケンス１用編集データに基づいて、ＳＤ用ストレージ２内のクリップＡ、ＢおよびＣから必要な箇所を抜き出しシーケンス１を参照し表示する。
【０１４９】
図７は、上記（Ｃ）のケース（ＳＤ用ノンリニア編集機１２がＳＤコンテンツに対してレンダリングが必要な編集を行った場合、その編集結果をＨＤコンテンツへ反映させる方法）を説明するための説明図である。
【０１５０】
なお、図７において、図５に示した処理と同じ処理には同一符号を付してある。以下、図５に示した処理と異なる点を中心に、上記（Ｃ）のケースを説明する。
【０１５１】
ステップＳ５３では、収録・編集系管理サーバー１６は、新たに作成されたシーケンス１にレンダリングが必要か否かを判断する。本ケースでは、シーケンス１用編集データにレンダリング情報が含まれているので、収録・編集系管理サーバー１６は、レンダリングが必要と判断する。
【０１５２】
収録・編集系管理サーバー１６は、レンダリングが必要と判断すると、ステップＳ５４およびステップＳ７１を実行する。
【０１５３】
ステップＳ７１では、収録・編集系管理サーバー１６は、ＳＤ側とＨＤ側の双方にレンダリングファイルを生成するために、ＳＤレンダリング装置１５ｂおよびＨＤレンダリング装置１４ｂを制御して、レンダリングファイルを生成する。
【０１５４】
具体的には、収録・編集系管理サーバー１６は、シーケンス１用編集データからレンダリング情報を読み出し、そのレンダリング情報をＳＤレンダリング装置１５ｂおよびＨＤレンダリング装置１４ｂに提供する。
【０１５５】
ＳＤレンダリング装置１５ｂは、レンダリング情報を受け付けると、ステップＳ７２を実行する。
【０１５６】
ステップＳ７２では、ＳＤレンダリング装置１５ｂは、そのレンダリング情報に基づいて、ＳＤ用ストレージ２内のＳＤコンテンツを編集して、レンダリングファイル（ＳＤコンテンツ）を生成し、そのレンダリングファイルをＳＤ用ストレージ２に収録する。
【０１５７】
また、ＨＤレンダリング装置１４ｂは、レンダリング情報を受け付けると、ステップＳ７３を実行する。
【０１５８】
ステップＳ７３では、ＨＤレンダリング装置１４ｂは、そのレンダリング情報に基づいて、ＨＤ用ストレージ１内のＨＤコンテンツを編集して、レンダリングファイル（ＨＤコンテンツ）を生成し、そのレンダリングファイルをＨＤ用ストレージ１に収録する。
【０１５９】
この結果、ＳＤノンリニア編集機１２で編集したシーケンス１（レンダリング有り）のファイルが、ＨＤノンリニア編集機１１で開かれると、ＨＤノンリニア編集機１１は、シーケンス１用編集データに基づいて、ＨＤ用ストレージ１内のクリップＡ、Ｂ、Ｃおよびレンダリングファイルから必要な箇所を抜き出しシーケンス１を参照し表示する。
【０１６０】
図８は、上記（Ｄ）のケース（ＨＤ用ノンリニア編集機１１がＨＤコンテンツに対してレンダリングが必要な編集を行った場合、その編集結果をＳＤコンテンツへ反映させる方法）を説明するための説明図である。
【０１６１】
なお、図８において、図６および図７に示した処理と同じ処理には同一符号を付してある。以下、図６に示した処理と異なる点を中心に、上記（Ｄ）のケースを説明する。
【０１６２】
ステップＳ６３では、収録・編集系管理サーバー１６は、新たに作成されたシーケンス１にレンダリングが必要か否かを判断する。本ケースでは、シーケンス１用編集データにレンダリング情報が含まれているので、収録・編集系管理サーバー１６は、レンダリングが必要と判断する。
【０１６３】
収録・編集系管理サーバー１６は、レンダリングが必要と判断すると、ステップＳ６４およびステップＳ７１を実行し、ＳＤレンダリング装置１５ｂは、レンダリング情報を受け付けると、ステップＳ７２を実行し、ＨＤレンダリング装置１４ｂは、レンダリング情報を受け付けると、ステップＳ７３を実行する。
【０１６４】
この結果、ＨＤノンリニア編集機１１で編集したシーケンス１（レンダリング有り）のファイルが、ＳＤノンリニア編集機１２で開かれると、ＳＤノンリニア編集機１２は、シーケンス１用編集データに基づいて、ＳＤ用ストレージ２内のクリップＡ、Ｂ、Ｃおよびレンダリングファイルから必要な箇所を抜き出しシーケンス１を参照し表示する。
【０１６５】
本実施例によれば、編集反映装置１３は、ＳＤ用ノンリニア編集機１２がＳＤ用ストレージ２内のＳＤコンテンツを編集した際に、その編集結果に基づいてＨＤストレージ１内のＨＤコンテンツを編集し、また、ＨＤ用ノンリニア編集機１１がＨＤストレージ１内のＨＤコンテンツを編集した際に、その編集結果に基づいてＳＤ用ストレージ２内のＳＤコンテンツを編集する。
【０１６６】
このため、ＳＤコンテンツに対する編集結果を、ＨＤコンテンツに反映させるだけでなく、ＨＤコンテンツに対する編集結果を、ＳＤコンテンツに反映させることが可能になる。よって、例えば、まず、ＨＤコンテンツで編集を行い、その後、その編集結果を反映したＳＤコンテンツで編集したいという要望に応じることが可能になる。
【０１６７】
また、本実施例では、収録・編集系管理サーバー１６は、ＳＤ用ノンリニア編集機１２がＳＤコンテンツを編集した際に、ＨＤファイル編集管理装置１４を用いて、ＨＤコンテンツをＳＤ用ノンリニア編集機１２による編集結果に基づいて編集し、ＨＤ用ノンリニア編集機１１がＨＤコンテンツを編集した際に、ＳＤファイル編集管理装置１５を用いて、ＳＤコンテンツをＨＤ用ノンリニア編集機１１による編集結果に基づいて編集する。
【０１６８】
この場合、収録・編集系管理サーバー１６にて編集結果の反映を管理できる。
【０１６９】
また、本実施例では、編集反映装置１３は、ＨＤ用ノンリニア編集機１１がＨＤ用ストレージ１内のＨＤコンテンツを編集して所定名のコンテンツを作成している間、ＳＤ用ノンリニア編集機１２がＳＤ用ストレージ２内のＳＤコンテンツを編集してその所定名のコンテンツを作成することを禁止する。
【０１７０】
また、編集反映装置１３は、ＳＤ用ノンリニア編集機１２がＳＤ用ストレージ２内のＳＤコンテンツを編集して特定名のコンテンツを作成している間、ＨＤ用ノンリニア編集機１１がＨＤ用ストレージ１内のＨＤコンテンツを編集してその特定名のコンテンツを作成することを禁止する。
【０１７１】
この場合、同一名称のコンテンツが、ＨＤ用ノンリニア編集機１１およびＳＤ用ノンリニア編集機１２で同時に編集されて作成されることを防止できる。
【０１７２】
このため、同一名称のコンテンツが、ＨＤ用ノンリニア編集機１１およびＳＤ用ノンリニア編集機１２で同時に作成され、先に編集が完了したコンテンツが、後で編集が完了したコンテンツに上書きされ、先に編集が完了したコンテンツの内容が消去されてしまうという不都合を回避可能となる。
【０１７３】
また、本実施例では、編集反映装置１３は、ＨＤ用ノンリニア編集機１１またはＳＤ用ノンリニア編集機１２が映像効果を伴う編集を行った場合に、その映像効果に基づいて、ＨＤ用ストレージ１内のＨＤコンテンツからレンダリングファイルを生成し、そのレンダリングファイルをＨＤ用ストレージ１に収録するとともに、その映像効果に基づいて、ＳＤ用ストレージ２内のＳＤコンテンツからレンダリングファイルを生成し、そのレンダリングファイルをＳＤ用ストレージ２に収録する。
【０１７４】
この場合、映像効果に基づいたレンダリングファイルを生成することが可能になる。このため、例えば、レンダリングファイルを再利用することが可能になる。
【０１７５】
また、本実施例では、第１精細度は、ＨＤＴＶ方式に対応する精細度であり、第２精細度は、ＳＤＴＶ方式に対応する精細度である。
【０１７６】
この場合、第２精細度のコンテンツは、ＳＤＴＶ方式に準じることになり、例えば、第２精細度のコンテンツが、放送番組として送出されても、視聴者は、その放送番組を、地上波アナログ放送用の番組と同様に認識することが可能になる。
【０１７７】
以上説明した実施例において、図示した構成は単なる一例であって、本発明はその構成に限定されるものではない。
【図面の簡単な説明】
【０１７８】
【図１】本発明の一実施例の編集システムを示したブロック図である。
【図２】レンダリング無しシーケンスを生成するための編集データの一例を示した説明図である。
【図３】レンダリング有りシーケンスを生成するための編集データの一例を示した説明図である。
【図４】ＨＤコンテンツとＳＤコンテンツとを模式的に示した説明図である。
【図５】編集反映動作を説明するための説明図である。
【図６】編集反映動作を説明するための説明図である。
【図７】編集反映動作を説明するための説明図である。
【図８】編集反映動作を説明するための説明図である。
【符号の説明】
【０１７９】
１      ＨＤ用ストレージ
２      ＳＤ用ストレージ
３      マトリクススイッチャー
４      マトリクススイッチャー制御装置
５      信号分配装置
６      信号変換装置
７      ＨＤ用収録サーバー
８      ＳＤ用収録サーバー
９      収録制御装置
１０      ファイル変換装置
１１      ＨＤ用ノンリニア編集機
１２      ＳＤ用ノンリニア編集機
１３      編集反映装置
１４      ＨＤファイル編集管理装置
１４ａ    ＨＤファイル管理サーバー
１４ｂ    ＨＤレンダリング装置
１５ａ    ＳＤファイル管理サーバー
１５ｂ    ＳＤレンダリング装置
１６      収録・編集系管理サーバー
１６      ファイル変換装置
【図１】
2008113216.tif 000003
【図２】
2008113216.tif 000004
【図３】
2008113216.tif 000005
【図４】
2008113216.tif 000006
【図５】
2008113216.tif 000007
【図６】
2008113216.tif 000008
【図７】
2008113216.tif 000009
【図８】
2008113216.tif 000010